(57)【要約】【課題】  両腕が拘束されている状態でも簡単且つ正確に操作を可能とする。【解決手段】  両腕を置くことができる肘掛部１を有するマッサージ機である。肘掛部１に両腕を拘束すための腕拘束部２を設ける。肘掛部１の上記腕拘束部２の前方位置にマッサージ動作を制御するための操作を行う操作部３を配置する。【選択図】        図１
2005152257.tif 000002
【特許請求の範囲】
【請求項１】
両腕を置くことができる肘掛部を有するマッサージ機において、肘掛部に両腕を拘束すための腕拘束部を設け、肘掛部の上記腕拘束部の前方位置にマッサージ動作を制御するための操作を行う操作部を配置して成ることを特徴とするマッサージ機。
【請求項２】
肘掛部の前方に配置してある操作部を腕拘束部との位置関係が可変となるように肘掛部に対して移動自在にして成ることを特徴とする請求項１記載のマッサージ機。
【請求項３】
マッサージ機に座った施療者の目の前方位置に動作ニューを表示する表示パネルを設け、肘掛部に設けた上記操作部により表示パネルで表示される動作メニューを選択して選択された動作メニューを実行するように設定して成ることを特徴とする請求項１又は請求項２記載のマッサージ機。
【請求項４】
操作部を肘掛部に対して着脱自在に取付けて成ることを特徴とする請求項１乃至請求項３のいずれかに記載のマッサージ機。
【発明の詳細な説明】
【技術分野】
【０００１】
本発明は、両腕を置くことができる肘掛部を有するマッサージ機に関するものである。
【背景技術】
【０００２】
従来から両腕を置くことができる肘掛部を有するマッサージ機において、腕のマッサージを行うようにした腕マッサージユニットを装着されたものが知られている。（例えば、特許文献１参照）
ところが、上記特許文献１に示された従来例は、腕のマッサージを実行している際には両腕が拘束されてしまうため停止動作や現在の動作を変更する際に操作器を操作することが困難であることが多かった。
【０００３】
また上記の従来例において、両腕を完全に拘束してしまうと、操作が全く出来なくなるため、片腕づつマッサージをせざるを得ない状態となってしまい、マッサージ感も悪くなるという問題があった。
【０００４】
また、操作を行う時に、操作器を見るため、マッサージ姿勢が崩れてしまい、快適なマッサージを受けることができないという問題もあった。
【０００５】
更に、肘掛部に測定ユニットを装着して心拍等を測定する場合に、両腕を拘束するときにも上記と同様に両腕が拘束されてしまうため停止動作や現在の動作を変更する際に操作器を操作することが困難である。
【特許文献１】特開平１０−２４３９８１号公報
【発明の開示】
【発明が解決しようとする課題】
【０００６】
本発明は上記の従来の問題点に鑑みて発明したものであって、両腕が拘束されている状態でも簡単且つ正確に操作を可能とするマッサージ機を提供することを課題とするものである。
【課題を解決するための手段】
【０００７】
上記課題を解決するために本発明に係るマッサージ機は、両腕を置くことができる肘掛部１を有するマッサージ機５において、肘掛部１に両腕を拘束すための腕拘束部２を設け、肘掛部１の上記腕拘束部２の前方位置にマッサージ動作を制御するための操作を行う操作部３を配置して成ることを特徴とするものである。
【０００８】
このような構成とすることで、肘掛部１に両腕をかけて腕拘束部２で腕を拘束した状態でマッサージ動作を行うに当たって、腕を拘束したままの状態で、肘掛部１の腕拘束部２の前方位置に配置した操作部３を指で簡単且つ正確に操作できるものである。
【０００９】
また、肘掛部１の前方に配置してある操作部３を腕拘束部２との位置関係が可変となるように肘掛部１に対して移動自在にすることが好ましい。
【００１０】
施療者の体格の違いに応じて操作部３を移動して、腕拘束部２で腕を拘束した状態で指で操作できる最適の位置に操作部３を位置させることができ、また、マッサージ椅子がリクライニングするものの場合に、肘掛部１に対する腕を置く位置が変わるが、このような場合も操作部３が移動自在であるため、リクライニング状態により変わる肘掛部１に対して変わる腕を置く位置に応じた最適の位置に操作部３を位置させることができる。この場合、背もたれ部のリクライニングの動きと連動して肘掛部１の腕拘束部２が移動するような構造とすることも可能であり、この場合にはリクライニングにより自動的に操作部３の位置が変わり、施療者は快適な位置で容易且つ正確に操作ができるものである。
【００１１】
また、マッサージ機５に座った施療者の目の前方位置に動作ニューを表示する表示パネル４を設け、肘掛部１に設けた上記操作部３により表示パネル４で表示される動作メニューを選択して選択された動作メニューを実行するように設定することが好ましい。
【００１２】
腕拘束部２で腕を拘束して肘掛部１の腕拘束部２の前方位置に設けた操作部３を指で操作してマッサージ動作を制御するものにおいては、施療者は腕が拘束された状態で肘掛部１の腕拘束部２の前方位置という目で見難い位置に操作部３があると言えども、上記のように、マッサージ機５に座った施療者の目の前方に動作ニューを表示する表示パネル４を設け、肘掛部１に設けた上記操作部３により表示パネル４で表示される動作メニューを選択して選択された動作メニューを実行することで、施療者は目の前方に位置する表示パネル４の動作メニューを目で確認しながら、指先で操作部３を操作して表示パネル４の動作メニューを選択して好みの動作メニューを実行することができるものであり、操作部３で操作して好みのメニューを選択して実行する操作が簡単且つ正確に行えるものである。
【００１３】
また、操作部３を肘掛部１に対して着脱自在に取付けることが好ましい。
【００１４】
このような構成とすることで、操作部３を取り外して使用することで、腕拘束部２により両腕がどの位置で拘束されたとしても施療者の最適な位置で操作することができるものである。
【発明の効果】
【００１５】
本発明は、肘掛部に両腕をかけて腕拘束部で腕を拘束した状態でマッサージ動作を行うに当たって、腕を拘束したままの状態で、肘掛部の腕拘束部の前方位置に配置した操作部を指で簡単且つ正確に操作できるものである。
【発明を実施するための最良の形態】
【００１６】
以下、本発明を添付図面に示す実施形態に基いて説明する。マッサージ機５は椅子型マッサージ機であって、図１に示すように、座部６と、座部６の両側に設けた肘掛部１と、座部６の前部に配置される脚乗せ部７と、背もたれ部８とで構成してあり、肘掛部１の上面部には腕を拘束してマッサージするための腕マッサージユニット９が設けてある。また、背もたれ部８の内部には図示を省略しているが座部６に座って背もたれ部８に持たれかけさせた施療者の上半身をマッサージするための上半身マッサージユニットを設けてある。
【００１７】
両肘掛部１に設けた腕マッサージユニット９は肘掛部１の外側端部から上方に支持脚部１０を突設し、この支持脚部１０の上端部から肘掛部１の上面の上方位置に隙間を介して腕マッサージ部１１を突設して構成してあり、ここで、肘掛部１の上面部の上記腕マッサージ部１１の下方に隙間を介して対向する部位にも更に下側の腕マッサージ部を設けてもよい。本実施形態では、両肘掛部１に上記のように腕マッサージユニット９を設けてあることで、肘掛部１に腕をかけた際に、肘掛部１の上面と腕マッサージ部１１との間に腕を入れることで、肘掛部１の上面と隙間を介して対向する腕マッサージ部１１とで腕が拘束されることになる。このように腕拘束状態で腕マッサージ部１１により腕マッサージを行うことができる。この場合、腕マッサージ部１１が空気袋を膨縮してエアーマッサージする構造のものであると、腕を肘掛部１の上面と腕マッサージ部１１との間に入れて空気袋を膨縮することで空気袋により腕をより確実に拘束しながら良好にエアーマッサージができることになる。したがって、本実施形態においては上記肘掛部１の上面と腕マッサージ部１１とで腕を拘束するための腕拘束部２が構成される。
【００１８】
肘掛部１の腕拘束部２を設けた位置、つまり腕マッサージユニット９を設けた位置よりも前方位置には上記腕マッサージユニット９によるマッサージ動作や上半身マッサージユニットによるマッサージ動作を制御するための操作を行うための操作部３が配置してある。図１に示す実施形態では肘掛部１の上面の腕拘束部２よりも前方位置（肘掛部１の上面の前部）に操作部３が配置してある。
【００１９】
マッサージ動作を制御するための操作を行うための操作部３は左右両側の肘掛部１にそれぞれ設けてあるが、ここで、例えば、一方の肘掛部１に設けた操作部３には図２（ａ）に示すように入切スイッチ１２、停止スイッチ１３、腕マッサージユニット９の動作入切スイッチ１４、上半身マッサージユニットの動作入切スイッチ１５が設けてあり、他方の肘掛部１に設けた操作部３には図２（ｂ）に示すように腕マッサージの強弱を調整するための腕マッサージユニット９の強弱調整スイッチ１６、上半身マッサージの強弱調整をするための上半身マッサージユニットの強弱調整スイッチ１７が設けてある。
【００２０】
上記のような構成のマッサージ機５の使用は以下のようにして行うものである。
【００２１】
すなわち、施療者はマッサージ機５の座部６に座り、背もたれ部８にもたれた状態で、両肘掛部１に腕をかけ（この場合、肘掛部１の上面と腕マッサージ部１１との間に腕を入れた状態で肘掛部１に腕をかける）、この状態で、肘掛部１の前部に配置した操作部３を操作して、腕マッサージユニット９による腕マッサージ及び上半身マッサージユニットによるマッサージを同時に行ったり、あるいは、腕マッサージユニット９による腕マッサージのみを単独でおこなったり、あるいは上半身マッサージユニットによるマッサージのみを単独で行ったりするものである。
【００２２】
例えば、入切スイッチ１２を操作（例えば押操作）すると、腕マッサージユニット９による腕マッサージ及び上半身マッサージユニットによる上半身のマッサージが同時に行われ、動作中にマサージを終了したい場合には入切スイッチ１２をもう一度操作することで、腕マッサージユニット９による腕マッサージ及び上半身マッサージユニットによる上半身のマッサージが同時に終了するようになっている。
【００２３】
また、動作中にトラブル等により緊急に停止を行いたい場合は、停止スイッチ１３を操作（例えば押操作）することで腕マッサージ及び上半身のマッサージをただちに停止することができる。
【００２４】
また、動作中に、腕マッサージのみを停止したい場合は、腕マッサージユニット９の動作入切スイッチ１４を操作（例えば押操作）することで腕マッサージのみを停止することができる。
【００２５】
同様に、上半身のみのマッサージを停止させたい場合は、上半身マッサージユニットの動作入切スイッチ１５を操作（例えば押操作）することで上半身マッサージのみを停止することができる。
【００２６】
また、動作中に腕のマッサージの強弱を調整したい場合には、腕マッサージユニット９の強弱調整スイッチ１６を操作（例えば押操作）することで腕マッサージの強弱を調整することができる。
【００２７】
また、動作中に上半身のマッサージの強弱を調整したい場合には、上半身マッサージユニットの強弱調整スイッチ１７を操作（例えば押操作）することで腕マッサージの強弱を調整することができる。
【００２８】
上記実施形態では、椅子型のマッサージ機５の肘掛部１に腕マッサージユニット９を設けると共に背もたれ部８に上半身マッサージユニットを設けて、肘掛部１の腕マッサージユニット９の前方位置に設けた操作部３を操作することにより腕マッサージユニット９と上半身マッサージユニットとのマッサージ動作を制御するようにした例を示したが、上記に加え更に脚乗せ部７に脚のマッサージをするための脚マッサージユニットを設け、この脚マッサージユニットによる脚マッサージの動作制御を操作部３を操作することで行うようにしてもよい。
【００２９】
また、上記実施形態では、肘掛部１に腕マッサージユニット９を設けることで腕拘束部２を構成し、両側の腕拘束部２で両腕を拘束した状態で肘掛部１の腕マッサージユニット９の前方位置に設けた操作部３を操作してマッサージ動作の制御を行うようにしている例を示しているが、心拍等の人体の情報を取得するための心拍情報取得ユニットを肘掛部１に設けると共に心拍情報取得ユニットに腕拘束部２を設け、肘掛部１の腕拘束部２を備えた心拍情報取得ユニットの前方位置に心拍情報取得ユニットの動作制御するための操作部３を設け、肘掛部１にかけた肘を心拍情報取得ユニットに設けた腕拘束部２で拘束した状態で操作部３を操作して心拍等の情報を取得するようにしてもよい。
【００３０】
ところで、肘掛部１の腕拘束部２の前方位置に設けた操作部３を腕拘束部２との位置関係が可変となるように肘掛部１に対して移動自在にしてもよい。図３にはその一実施形態が示してある。
【００３１】
図３に示す実施形態においては、肘掛部１の上面部の腕拘束部２の前方位置に操作部３の前後方向に長くなった長溝１８を設け、この長溝１８に沿って操作部３が前後方向に移動可能となるように操作部３を肘掛部１に設けてある。操作部３を長溝１８に沿って前後方向に移動するに当たっては、手動で移動自在としたり、電動で移動自在としたりするものである。
【００３２】
このように操作部３を腕拘束部２との位置関係が可変となるように肘掛部１に対して移動自在とすることで、施療者の体格の違いに応じて操作部３を移動して、腕拘束部２で腕を拘束した状態で指で操作できる最適の位置に操作部３を位置させることができるものである。
【００３３】
また、マッサージ椅子がリクライニングするものの場合に、肘掛部１に対する腕を置く位置が変わるが、このような場合も操作部３が移動自在であるため、リクライニング状態により変わる肘掛部１に対して変わる腕を置く位置に応じた最適の位置に操作部３を位置させることができる。この場合、背もたれ部のリクライニングの動きと連動して肘掛部１の腕拘束部２が移動するような構造とすることも可能であり、この場合にはリクライニングにより自動的に操作部３の位置が変わり、施療者は快適な位置で容易且つ正確に操作ができることになる。
【００３４】
図４乃至図６に本発明の他の実施形態を示す。
【００３５】
本実施形態においては、マッサージ機５に座った施療者の目の前方に図４に示すように表示パネル４を設けてある。該表示パネル４は背もたれ部８や座部６に一端部を取付けたアーム２９の他端（先端）に設けてあって、マッサージ機５の座部６に座って背もたれ部８に背をもたれた状態における施療者の目の前方位置に位置するように設けられる。
【００３６】
表示パネル４は図６に示すように、液晶ディスプレー（ＬＣＤ）２１を有し、液晶ディスプレー２１には動作を選択することができる画面、つまり動作メニュー２２が表示され、また、液晶ディスプレー２１には動作メニュー２２を選択するためのカーソル２３も表示される。
【００３７】
一方、肘掛部１に設けた操作部３には図５に示すように、トラッキングボール１９が配置してあり、更に、操作部３の上面にはトラッキングボール１９の前後方向、左右方向にそれぞれ矢印表示がしてある。このトラッキングボール１９は上記前後、左右の矢印方向に回転操作することで表示パネル４の画面上に表示されるカーソル２３を画面上で目的の箇所に移動できるようになっており、これにより画面に表示された目的とする動作メニュー２２の位置にカーソル２３を移動できるものである。また、トラッキングボール１９は、トラッキングボール１９自体を押し込むことにより表示パネル４に表示される動作メニューの決定動作として操作することができる。
【００３８】
しかして、マッサージ機５の座部６に座り、背もたれ部８にもたれた状態で、両肘掛部１に腕をかけ、この状態で、表示パネル４を見ながら肘掛部１の前部に配置した操作部３のトラッキングボール１９を指で操作することで、それにしたがって動くカーソル２３を液晶ディスプレー２１に表示された動作メニューの中の「入／切」と表示されている場所まで移動させ、その場所でトラッキングボール１９自体を押し込むことで腕マッサージ及び上半身のマッサージ動作を開始することができる。同様に停止させる場合には、カーソル２３を液晶ディスプレー２１に表示された動作メニューの中の「停止」と表示されている場所まで移動させ、その場所でトラッキングボール１９自体を押し込んでその場所で決定動作を行うことでマッサージ動作を停止することができる。
【００３９】
また、液晶ディスプレー２１に表示された動作メニューの中の「腕エア入／切」という表示にカーソル２３を移動して決定動作を行うと、腕マッサージを停止することができ、また、「上半身入／切」という表示にカーソル２３を移動して決定動作を行うと、上半身のマッサージを停止することができ、更に、「腕エア強弱」という表示にカーソルを移動して「強」や「弱」の決定動作を行うと、腕マッサージの強弱調整ができ、更に、「上半身強弱」という表示にカーソルを移動して「強」や「弱」の決定動作を行うと、上半身のマッサージの強弱調整ができるものである。また、液晶ディスプレー２１に表示された動作メニューの内容を上記例よりも更に細かい動作まで表示するようにすると、より細かい動作まで、両腕を固定されている状態で動作させることができるものである。
【００４０】
この実施形態においては、マッサージ機５に座った施療者の目の前に表示パネル４を配置してあるので、施療者はマッサージ動作の制御をするに当たって、姿勢を崩すことなく簡単且つ正確に目的とする動作メニューを選択して実行する操作が行え、より快適な操作を可能とするものである。また、本実施形態では操作部３におけるスイッチの数を減らすことができて、複雑な操作器を簡便化することができ、施療者は簡単にマッサージ動作を行うことができるものである。
【００４１】
上記例では肘掛部１に設けた上記操作部３により表示パネル４で表示される動作メニューを選択して選択された動作メニューを実行するために操作部３にトラッキングボール１９を設けた例を説明したが、トラッキングボール１９の代わりに十字キーやジョイスティック等の位置出し検出手段を配置しても同様の効果が得られる。
【００４２】
ところで、上記した各実施形態における操作部３を肘掛部１に対して取外し自在としてもよい。このように、肘掛部１に対して操作部３を取外し自在に取付けることで、操作部３を取り外して使用することが可能となり、これにより腕拘束部２により両腕がどの位置で拘束されたとしても施療者の最適な位置で操作部３を操作することが可能となるものである。
【００４３】
上記各実施形態においては、肘掛部１に設けた操作部３のみでマッサージ動作を制御する操作を行うことについて説明したが、当然、従来の操作器と組み合わせて、主要な機能のみを操作器に設け、上記した肘掛部１に設ける操作部３を輻操作器として使用することも考えられる。
【図面の簡単な説明】
【００４４】
【図１】本発明のマッサージ機の一実施形態の斜視図である。
【図２】（ａ）（ｂ）はそれぞれ左右両側の操作部を説明する平面図である。
【図３】同上の操作部が移動する例を示す斜視図である。
【図４】本発明のマッサージ機の他の実施形態の斜視図である。
【図５】同上の操作部を示す斜視図である。
【図６】同上の表示パネルを示す斜視図である。
【符号の説明】
【００４５】
１  肘掛部
２  腕拘束部
３  操作部
４  表示パネル
【図１】
2005152257.tif 000003
【図２】
2005152257.tif 000004
【図３】
2005152257.tif 000005
【図４】
2005152257.tif 000006
【図５】
2005152257.tif 000007
【図６】
2005152257.tif 000008
【手続補正書】
【提出日】平成16年1月19日(2004.1.19)
【手続補正１】
【補正対象書類名】特許請求の範囲
【補正対象項目名】全文
【補正方法】変更
【補正の内容】
【特許請求の範囲】
【請求項１】
両腕を置くことができる肘掛部を有するマッサージ機において、肘掛部に両腕を拘束すための腕拘束部を設け、肘掛部の上記腕拘束部の前方位置にマッサージ動作を制御するための操作を行う操作部を配置して成ることを特徴とするマッサージ機。
【請求項２】
肘掛部の前方に配置してある操作部を腕拘束部との位置関係が可変となるように肘掛部に対して移動自在にして成ることを特徴とする請求項１記載のマッサージ機。
【請求項３】
マッサージ機に座った施療者の目の前方位置に動作メニューを表示する表示パネルを設け、肘掛部に設けた上記操作部により表示パネルで表示される動作メニューを選択して選択された動作メニューを実行するように設定して成ることを特徴とする請求項１又は請求項２記載のマッサージ機。
【請求項４】
操作部を肘掛部に対して着脱自在に取付けて成ることを特徴とする請求項１乃至請求項３のいずれかに記載のマッサージ機。
【手続補正２】
【補正対象書類名】明細書
【補正対象項目名】００１１
【補正方法】変更
【補正の内容】
【００１１】
また、マッサージ機５に座った施療者の目の前方位置に動作メニューを表示する表示パネル４を設け、肘掛部１に設けた上記操作部３により表示パネル４で表示される動作メニューを選択して選択された動作メニューを実行するように設定することが好ましい。
【手続補正３】
【補正対象書類名】明細書
【補正対象項目名】００１２
【補正方法】変更
【補正の内容】
【００１２】
腕拘束部２で腕を拘束して肘掛部１の腕拘束部２の前方位置に設けた操作部３を指で操作してマッサージ動作を制御するものにおいては、施療者は腕が拘束された状態で肘掛部１の腕拘束部２の前方位置という目で見難い位置に操作部３があると言えども、上記のように、マッサージ機５に座った施療者の目の前方に動作メニューを表示する表示パネル４を設け、肘掛部１に設けた上記操作部３により表示パネル４で表示される動作メニューを選択して選択された動作メニューを実行することで、施療者は目の前方に位置する表示パネル４の動作メニューを目で確認しながら、指先で操作部３を操作して表示パネル４の動作メニューを選択して好みの動作メニューを実行することができるものであり、操作部３で操作して好みのメニューを選択して実行する操作が簡単且つ正確に行えるものである。
【手続補正４】
【補正対象書類名】明細書
【補正対象項目名】００２２
【補正方法】変更
【補正の内容】
【００２２】
例えば、入切スイッチ１２を操作（例えば押操作）すると、腕マッサージユニット９による腕マッサージ及び上半身マッサージユニットによる上半身のマッサージが同時に行われ、動作中にマッサージを終了したい場合には入切スイッチ１２をもう一度操作することで、腕マッサージユニット９による腕マッサージ及び上半身マッサージユニットによる上半身のマッサージが同時に終了するようになっている。